(57)【要約】【課題】配線基板などに対する設置面積を増加させずに、ノイズを除去することが可能な電子部品を提供する。【解決手段】ラインフィルタは、フック部５ａを有するラインフィルタ５と、ラインフィルタ５のフック部５ａに係合する係合孔４ａを有するラインフィルタ４とを含み、ラインフィルタ５とラインフィルタ４とは、上下方向に積層するように、フック部５ａおよび係合孔４ａを用いて互いに固定されている。また、ラインフィルタ５は、コンデンサ３を取り付けるためのコンデンサ取付部５ｂを有し、ラインフィルタ４は、配線基板１に取り付けられる端子ピン４ｅを６本有し、ラインフィルタ４の６本の端子ピン４ｅは、ラインフィルタ５が電気的に接続される２本の端子ピン４ｅ（１）と、ラインフィルタ４、ラインフィルタ５およびコンデンサ３が電気的に接続される２本の端子ピン４ｅ（２）と、ラインフィルタ４が電気的に接続される２本の端子ピン４ｅ（３）とにより構成されている。【選択図】図４
2006135027.tif 000002
【特許請求の範囲】
【請求項１】
配線基板に取り付けられるラインフィルタおよびコンデンサを備えた電子部品において、
前記ラインフィルタは、
フック部を有する上側ラインフィルタと、
前記上側ラインフィルタのフック部に係合する係合孔を有する下側ラインフィルタとを含み、
前記上側ラインフィルタと前記下側ラインフィルタとは、上下方向に積層するように、前記フック部および前記係合孔を用いて互いに固定されており、
前記上側ラインフィルタは、前記コンデンサを取り付けるためのコンデンサ取付部を有し、
前記下側ラインフィルタは、前記配線基板に取り付けられる端子を６本有し、
前記下側ラインフィルタの６本の端子は、前記上側ラインフィルタが電気的に接続される２本の端子と、前記下側ラインフィルタ、前記上側ラインフィルタおよび前記コンデンサが電気的に接続される２本の端子と、前記下側ラインフィルタが電気的に接続される２本の端子とにより構成されており、
前記上側ラインフィルタおよび下側ラインフィルタの少なくともいずれか一方は、側方に配置されたコアを含む、電子部品。
【請求項２】
第１係合部を含む上側ラインフィルタと、
前記上側ラインフィルタの第１係合部に係合する第２係合部を含む下側ラインフィルタとを備え、
前記上側ラインフィルタと前記下側ラインフィルタとは、上下方向に積層するように、前記第１係合部および前記第２係合部を用いて互いに固定されている、電子部品。
【請求項３】
コンデンサをさらに備え、
前記上側ラインフィルタは、前記コンデンサを取り付けるためのコンデンサ取付部を有する、請求項２に記載の電子部品。
【請求項４】
前記下側ラインフィルタは、配線基板に取り付けられる端子を６本有し、
前記下側ラインフィルタの６本の端子は、前記上側ラインフィルタが電気的に接続される２本の端子と、前記下側ラインフィルタ、前記上側ラインフィルタおよび前記コンデンサが電気的に接続される２本の端子と、前記下側ラインフィルタが電気的に接続される２本の端子とにより構成されている、請求項２または３に記載の電子部品。
【請求項５】
前記上側ラインフィルタおよび下側ラインフィルタの少なくともいずれか一方は、側方に配置されたコアを含む、請求項２〜４のいずれか１項に記載の電子部品。
【請求項６】
前記第１係合部は、フック部を含み、
前記第２係合部は、係合孔を含む、請求項２〜５のいずれか１項に記載の電子部品。
【発明の詳細な説明】
【技術分野】
【０００１】
この発明は、配線基板に取り付けられるとともに、ノイズを除去するための電子部品に関する。
【背景技術】
【０００２】
従来、配線基板に取り付けられるとともに、ラインフィルタやビーズインダクタなどのノイズを除去するための電子部品が知られている（たとえば、特許文献１、特許文献２および特許文献３参照）。
【０００３】
上記特許文献１には、配線基板に取り付けられるスタンドオフ（脚）を設けたキャップとコアとに、それぞれ、係合部を設け、キャップとコアとの装着を容易にしたビーズインダクタ（電子部品）が開示されている。
【０００４】
上記特許文献２には、上容器と、配線基板に取り付けられる下容器とに、それぞれ、係合部を設け、ラインフィルタ用トロイダルコイルを縦置きに収納する分割型容器（電子部品）が開示されている。
【０００５】
上記特許文献３には、フェライトコアが設けられた開閉可能なコアケースにより、コードを挟み込むように取り付けられるラインフィルタ（電子部品）が開示されている。
【０００６】
また、従来、ラインフィルタおよびコンデンサを用いてノイズを除去する構成が知られている。図７は、従来のラインフィルタおよびコンデンサを配線基板に取り付けた状態を示した斜視図である。図８は、図７に示した従来のコンデンサを示した斜視図である。図９は、図７に示した従来のラインフィルタを示した斜視図である。図１０は、図７に示した従来のラインフィルタおよびコンデンサの接続関係を示した回路図である。図７〜図１０を参照して、従来のラインフィルタおよびコンデンサの構造について説明する。
【０００７】
従来のコンデンサ１０２およびラインフィルタ１０３は、図７に示すように、配線基板１０１に所定の間隔を隔てて取り付けられる。また、コンデンサ１０２には、図８に示すように、２本の端子１０２ａが設けられている。また、ラインフィルタ１０３には、図９に示すように、４本の端子１０３ａと、２つのコイル１０３ｂと、２つのＬ字状のコア１０３ｃと、２つのコア１０３ｃを挟み込んで接触させる金属製の挟み部材１０３ｄとが設けられている。また、コンデンサ１０２の端子１０２ａとラインフィルタ１０３の端子１０３ａとを、図１０のように接続することにより、所定の周波数帯域のノイズを除去することが可能となる。
【特許文献１】実開平６−７９１１６号公報
【特許文献２】実開平５−６９９１８号公報
【特許文献３】実開平５−６２０１１号公報
【発明の開示】
【発明が解決しようとする課題】
【０００８】
図７〜図１０に示した従来のラインフィルタおよびコンデンサを用いて電源線のノイズを除去する構成では、ラインフィルタを１つずつ配線基板に設置する必要があるため、ラインフィルタを増設する場合には、配線基板に対する設置面積が増加するという不都合があった。このため、従来では、配線基板の設置面積を増加させずに、ラインフィルタを増設することが困難であった。その結果、配線基板の設置面積を増加させずに、より広い帯
域のノイズを除去することが困難であるという問題点があった。
【０００９】
上記特許文献１および２に開示された構造では、図７〜図１０に示した構造と同様、ラインフィルタを１つずつ配線基板に設置する必要があるため、ラインフィルタを増設する場合には、配線基板に対する設置面積が増加するという不都合があった。このため、従来では、配線基板の設置面積を増加させずに、ラインフィルタを増設することが困難であった。その結果、配線基板の設置面積を増加させずに、より広い帯域のノイズを除去することが困難であるという問題点があった。
【００１０】
上記特許文献３に開示された構造は、ラインフィルタを１つずつ電源コードに設置する必要があるため、ラインフィルタを増設する場合には、電源コードに対する設置面積が増加するという不都合があった。このため、従来では、電源コードに対する設置面積を増加させずにラインフィルタを増設することが困難であった。その結果、配線基板の設置面積を増加させずに、より広い帯域のノイズを除去することが困難であるという問題点があった。
【００１１】
この発明は、上記のような課題を解決するためになされたものであり、この発明の１つの目的は、配線基板などに対する設置面積を増加させずに、ノイズを除去することが可能な電子部品を提供することである。
【課題を解決するための手段】
【００１２】
この発明の第１の局面による電子部品は、配線基板に取り付けられるラインフィルタおよびコンデンサを備えた電子部品において、ラインフィルタは、フック部を有する上側ラインフィルタと、上側ラインフィルタのフック部に係合する係合孔を有する下側ラインフィルタとを含み、上側ラインフィルタと下側ラインフィルタとは、上下方向に積層するように、フック部および係合孔を用いて互いに固定されており、上側ラインフィルタは、コンデンサを取り付けるためのコンデンサ取付部を有し、下側ラインフィルタは、配線基板に取り付けられる端子を６本有し、下側ラインフィルタの６本の端子は、上側ラインフィルタが電気的に接続される２本の端子と、下側ラインフィルタ、上側ラインフィルタおよびコンデンサが電気的に接続される２本の端子と、下側ラインフィルタが電気的に接続される２本の端子とにより構成されており、上側ラインフィルタおよび下側ラインフィルタの少なくともいずれか一方は、側方に配置されたコアを含む。
【００１３】
この第１の局面による電子部品では、上記のように、上側ラインフィルタと下側ラインフィルタとを、上下方向に積層するように、フック部および係合孔を用いて互いに固定することによって、配線基板に対する設置面積を増加させずに、ラインフィルタを増設することができる。これにより、配線基板の設置面積が少ない場合にも、上側ラインフィルタを増設することができるので、その分、より広い周波数帯域のノイズを除去することができる。また、上側ラインフィルタに、コンデンサを取り付けるためのコンデンサ取付部を設けることによって、下側ラインフィルタの上側に固定される上側ラインフィルタにコンデンサを取り付けることができるので、配線基板に対する設置面積を増加させずに、上側ラインフィルタのみならずコンデンサも設置することができる。また、下側ラインフィルタに、配線基板に取り付けられる端子を６本設けるとともに、その６本の端子を、上側ラインフィルタが電気的に接続される２本の端子と、下側ラインフィルタ、上側ラインフィルタおよびコンデンサが電気的に接続される２本の端子と、下側ラインフィルタが電気的に接続される２本の端子とにより構成することによって、下側ラインフィルタ、上側ラインフィルタおよびコンデンサの端子の共用化を図ることができるので、各々４本の端子を有する２つのラインフィルタと２本の端子を有するコンデンサとを別個に設置する場合に比べて、合計の端子数を減少させることができる。これにより、配線基板の端子取付用孔の数を減少させることができるので、これによっても、配線基板に対する設置面積を小さ
くすることができる。また、上側ラインフィルタおよび下側ラインフィルタの少なくともいずれか一方に、側方に配置されたコアを設けることによって、上方または下方にコアを設ける場合に比べて、上下方向に積層された上側ラインフィルタの高さを小さくすることができる。これにより、上側ラインフィルタおよび下側ラインフィルタが設置された配線基板を電子機器に設置する場合に、上下方向の設置スペースが大きくなるのを抑制することができる。また、フック部および係合孔を設けることによって、容易に、上側ラインフィルタと下側ラインフィルタとを上下方向に積層した状態で固定することができる。
【００１４】
この発明の第２の局面による電子部品は、第１係合部を含む上側ラインフィルタと、上側ラインフィルタの第１係合部に係合する第２係合部を含む下側ラインフィルタとを備え、上側ラインフィルタと下側ラインフィルタとは、上下方向に積層するように、第１係合部および第２係合部を用いて互いに固定されている。
【００１５】
この第２の局面による電子部品では、上記のように、上側ラインフィルタと下側ラインフィルタとを、上下方向に積層するように、第１係合部および第２係合部を用いて互いに固定することによって、配線基板に対する設置面積を増加させずに、ラインフィルタを増設することができる。これにより、配線基板の設置面積が少ない場合にも、下側ラインフィルタに加えて上側ラインフィルタを増設することができるので、その分、より広い周波数帯域のノイズを除去することができる。
【００１６】
上記第２の局面による電子部品において、好ましくは、コンデンサをさらに備え、上側ラインフィルタは、コンデンサを取り付けるためのコンデンサ取付部を有する。このように構成すれば、下側ラインフィルタの上側に固定される上側ラインフィルタにコンデンサを取り付けることができるので、配線基板に対する設置面積を増加させずに、上側ラインフィルタのみならずコンデンサも設置することができる。
【００１７】
上記第２の局面による電子部品において、好ましくは、下側ラインフィルタは、配線基板に取り付けられる端子を６本有し、下側ラインフィルタの６本の端子は、上側ラインフィルタが電気的に接続される２本の端子と、下側ラインフィルタ、上側ラインフィルタおよびコンデンサが電気的に接続される２本の端子と、下側ラインフィルタが電気的に接続される２本の端子とにより構成されている。このように構成すれば、下側ラインフィルタ、上側ラインフィルタおよびコンデンサの端子の共用化を図ることができるので、各々４本の端子を有する２つのラインフィルタと２本の端子を有するコンデンサとを別個に設置する場合に比べて、合計の端子数を減少させることができる。これにより、配線基板の端子取付用孔の数を減少させることができるので、これによっても、配線基板に対する設置面積を小さくすることができる。
【００１８】
上記第２の局面による電子部品において、好ましくは、上側ラインフィルタおよび下側ラインフィルタの少なくともいずれかの一方は、側方に配置されたコアを含む。このように構成すれば、上方または下方にコアを設ける場合に比べて、上下方向に積層された上側ラインフィルタの高さを小さくすることができる。
【００１９】
上記第２の局面による電子部品において、好ましくは、第１係合部は、フック部を含み、第２係合部は、係合孔を含む。このように構成すれば、容易に、上側ラインフィルタと下側ラインフィルタとを上下方向に積層した状態で固定することができる。
【発明を実施するための最良の形態】
【００２０】
以下、本発明の実施形態を図面に基づいて説明する。
【００２１】
図１は、本発明の一実施形態によるラインフィルタおよびコンデンサを配線基板に取り
付けた状態を示した斜視図である。図２は、図１に示した本発明の一実施形態によるラインフィルタとコンデンサを示した斜視図である。図３は、図１に示した本発明の一実施形態によるラインフィルタの係合状態を示した断面図である。図４〜図６は、図１に示した本発明の一実施形態によるラインフィルタおよびコンデンサの構造の詳細を示した図である。図１〜図６を参照して、本発明の一実施形態による電子部品の構造について説明する。
【００２２】
本発明の一実施形態による電子部品は、図１に示すように、コンデンサ２と、コンデンサ３と、ラインフィルタ４と、ラインフィルタ５とを備えている。また、コンデンサ２と、コンデンサ３、ラインフィルタ４およびラインフィルタ５とは、所定の間隔を隔てて、配線基板１上に設置されている。なお、ラインフィルタ４は、本発明の「下側ラインフィルタ」の一例であり、ラインフィルタ５は、本発明の「上側ラインフィルタ」の一例である。
【００２３】
ここで、本実施形態では、ラインフィルタ５は、図３に示すように、フック部５ａを有する。また、ラインフィルタ４は、フック部５ａに係合する係合孔４ａを有する。このラインフィルタ４の係合孔４ａと、ラインフィルタ５のフック部５ａとが、図２および図３に示すように、係合されることによって、図２に示すように、ラインフィルタ５とラインフィルタ４とが、上下方向に積層するように互いに固定されている。また、図４に示すように、ラインフィルタ５は、コンデンサ３を取り付けるための２つの凹部状のコンデンサ取付部５ｂを有する。また、ラインフィルタ４には、側方に配置された２つのＬ字状のコア４ｂが設けられている。また、ラインフィルタ４には、図４に示すように、２つのコイル４ｃと、２つのコア４ｂを挟み込む金属製の挟み部材４ｄとが設けられている。また、ラインフィルタ５には、側方に配置された２つのＬ字状のコア５ｃが設けられている。また、ラインフィルタ５には、２つのコイル５ｄと、２つのコア５ｃを挟み込む金属製の挟み部材５ｅとが設けられている。また、フック部５ａは、本発明の「第１係合部」の一例であり、係合孔４ａは、本発明の「第２係合部」の一例である。
【００２４】
また、本実施形態では、ラインフィルタ５には、図４に示すように、４つのリード線５ｆが設けられている。また、コンデンサ３には、２つのリード線３ａが設けられている。ラインフィルタ５のリード線５ｆおよびコンデンサ３のリード線３ａには、絶縁チューブ６が装着されている。また、ラインフィルタ４には、配線基板１に取り付けられる６本の端子ピン４ｅが設けられている。この６本の端子ピン４ｅは、図５に示した２本の端子ピン（１）、２本の端子ピン（２）および２本の端子ピン（３）から構成されている。また、コンデンサ２には、２本のリード線２ａが設けられている。また、図５に示すように、ラインフィルタ４の２本の端子ピン４ｅ（１）には、ラインフィルタ５の４本のリード線５ｆのうちの２本が接続されている。また、ラインフィルタ４の２本の端子ピン４ｅ（２）には、ラインフィルタ５の残りの２本のリード線５ｆおよびコンデンサ３の２本のリード線３ａが接続されている。すなわち、ラインフィルタ４の２本の端子ピン４ｅ（２）は、コンデンサ３と、ラインフィルタ４と、ラインフィルタ５とで共用化されている。また、ラインフィルタ４の２本の端子ピン（３）には、コンデンサ２の２本のリード線２ａが接続されている。なお、端子ピン４ｅは、本発明の「端子」の一例である。
【００２５】
また、図５に示したように接続された２つのコンデンサ２および３と、２つのラインフィルタ４および５とにより、ノイズを除去することが可能な図６に示す回路が構成される。
【００２６】
本実施形態では、上記のように、ラインフィルタ４とラインフィルタ５とを、上下方向に積層するように、係合孔４ａおよびフック部５ａを用いて互いに固定することによって、配線基板１に対する設置面積を増加させずに、ラインフィルタ５を増設することができ
る。これにより、配線基板１の設置面積が少ない場合にも、ラインフィルタ５を増設することができるので、その分、より広い周波数帯域のノイズを除去することができる。
【００２７】
また、ラインフィルタ５に、コンデンサ３を取り付けるためのコンデンサ取付部５ｂを設けることによって、ラインフィルタ４の上側に固定されるラインフィルタ５にコンデンサ３を取り付けることができるので、配線基板１に対する設置面積を増加させずに、ラインフィルタ５のみならずコンデンサ３も設置することができる。
【００２８】
また、ラインフィルタ４に、配線基板１に取り付けられる端子ピン４ｅを６本設けるとともに、その６本の端子ピン４ｅを、ラインフィルタ５が電気的に接続される２本の端子ピン（１）と、ラインフィルタ４、ラインフィルタ５およびコンデンサ３が電気的に接続される共通の２本の端子ピン（２）と、ラインフィルタ４が電気的に接続される２本の端子ピン（３）とにより構成することによって、ラインフィルタ４、ラインフィルタ５およびコンデンサ３の端子ピンの共用化を図ることができるので、各々４本の端子ピンを有する２つのラインフィルタ４および５と、２本の端子ピンを有するコンデンサ３とを別個に設置する場合に比べて、合計の端子ピン数を減少させることができる。これにより、配線基板１の端子ピン取付用孔の数を減少させることができるので、これによっても、配線基板１に対する設置面積を小さくすることができる。
【００２９】
また、ラインフィルタ４およびラインフィルタ５に、側方に配置されたコア４ｂおよび５ｃを設けることによって、上方または下方にコアを設ける場合に比べて、上下方向に積層されたラインフィルタ５の高さを小さくすることができる。
【００３０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３１】
また、上記実施形態では、上側ラインフィルタ側にフック部を設けるとともに、下側ラインフィルタ側にフック部に係合する係合孔を設けた例を示したが、本発明はこれに限らず、上側ラインフィルタ側に係合孔を設けるとともに、下側ラインフィルタ側に係合孔に係合するフック部を設けてもよい。また、フック部および係合孔以外の係合可能な凸部および凹部などの係合部を設けてもよい。
【００３２】
また、上記実施形態では、上側ラインフィルタにコンデンサを取り付けるためのコンデンサ取付部を設けた例を示したが、本発明はこれに限らず、下側ラインフィルタにコンデンサを取り付けるためのコンデンサ取付部を設けてもよい。このように構成しても、配線基板に対する設置面積を増加させずに、コンデンサを設置することができる。
【図面の簡単な説明】
【００３３】
【図１】本発明の一実施形態によるラインフィルタおよびコンデンサを配線基板に取り付けた状態を示した斜視図である。
【図２】図１に示した一実施形態によるラインフィルタおよびコンデンサを示した斜視図である。
【図３】図１に示した一実施形態によるラインフィルタの係合状態を示した断面図である。
【図４】図１に示した一実施形態によるラインフィルタおよびコンデンサを示した分解斜視図である。
【図５】図１に示した一実施形態によるラインフィルタおよびコンデンサの電気的な接続を示した概略図である。
【図６】図１に示した一実施形態によるラインフィルタおよびコンデンサの電気的な接続を示した回路図である。
【図７】従来のラインフィルタおよびコンデンサを配線基板に取り付けた状態を示した斜視図である。
【図８】図７に示した従来のコンデンサを示した斜視図である。
【図９】図７に示した従来のラインフィルタを示した斜視図である。
【図１０】図７に示した従来のラインフィルタおよびコンデンサの電気的な接続を示した回路図である。
【符号の説明】
【００３４】
１  配線基板 
３  コンデンサ
３ａ  リード線
４  ラインフィルタ（下側ラインフィルタ）
４ａ  係合孔（第２係合部）
４ｅ  端子ピン（端子）
５  ラインフィルタ（上側ラインフィルタ）
５ａ  フック部（第１係合部）
５ｂ  コンデンサ取付部
５ｆ  リード線
【図１】
2006135027.tif 000003
【図２】
2006135027.tif 000004
【図３】
2006135027.tif 000005
【図４】
2006135027.tif 000006
【図５】
2006135027.tif 000007
【図６】
2006135027.tif 000008
【図７】
2006135027.tif 000009
【図８】
2006135027.tif 000010
【図９】
2006135027.tif 000011
【図１０】
2006135027.tif 000012